(57)【要約】【課題】ファイル具において、同一構成の他のファイル具と連結するための構造を、より適切かつ合理的に備えさせるようにする。【解決手段】間にシート状の対象物Ｏを挟み込み可能な表裏のシート体１、１よりなる四角形の外郭形状を持ったファイル具Ｆである。下辺２を除く三辺のうちのいずれか一辺を開放辺とし、その余の辺を非開放辺としている。雄状連結部６とこれに対する雌状連結部７のいずれか一方を、上辺３側に左右に間隔を開けて備えてなると共に、これらの他方を前記下辺２側に左右に間隔を開けて備えている。雄状連結部６を、シート体１に施された切れ目６０によってこの雄状連結部６の近傍に位置される辺側を指向した三角形状の頭部６１ａとこれに続く首部６１ｃとを持った矢印状片６１とし、雌状連結部７を、矢印状片６１の頭部６１ａの差し込みをシート体１の弾性変形により許容するスリット７ａとしている。【選択図】図２
2014108572.tif 000002
【特許請求の範囲】
【請求項１】
間にシート状の対象物を挟み込み可能な表裏のシート体よりなる四角形の外郭形状を持ったファイル具であって、
挟み込んだ前記対象物を少なくとも表側から視認可能に構成されていると共に、
下辺を除く三辺のうちのいずれか一辺を開放辺とし、その余の辺を非開放辺としており、
雄状連結部とこれに対する雌状連結部のいずれか一方を、上辺側に左右に間隔を開けて備えてなると共に、
これらの他方を前記下辺側に左右に間隔を開けて備えており、
前記雄状連結部を、前記シート体に施された切れ目によってこのシート体のその余の部分から区分されると共に、この雄状連結部の近傍に位置される辺側を指向した三角形状の頭部とこれに続く首部とを持った矢印状片とし、
前記雌状連結部を、前記矢印状片の頭部の差し込みをシート体の弾性変形により許容するスリットとしたことを特徴とするファイル具。
【請求項２】
雄状連結部とこれに対する雌状連結部のいずれか一方を、左辺側及び右辺側のいずれか一方において上下に間隔を開けて備えると共に、
雄状連結部とこれに対する雌状連結部の他方を、前記左辺側及び右辺側の他方において上下に間隔を開けて備えてなることを特徴とする請求項１に記載のファイル具。
【請求項３】
上辺側及び下辺側に備えられた左右の雄状連結部及び左右の雌状連結部間の距離と、
左辺側及び右辺側に備えられた上下の雄状連結部及び上下の雌状連結部間の距離とが等しくなっていることを特徴とする請求項２に記載のファイル具。
【請求項４】
下辺側に、表裏のシート体を互いに固着させる固着部が左右にそれぞれ設けられていると共に、表側シート体における前記左右の固着部の間に位置される箇所に前記下辺との間に間隔を開けてスリットが設けられていることを特徴とする請求項１〜請求項３のいずれか１項に記載のファイル具。
【発明の詳細な説明】
【技術分野】
【０００１】
この発明は、内部にシート状の対象物を挟み込んだ状態で、同一構成のファイル具と連結できるようにしてなるファイル具の改良に関する。
【背景技術】
【０００２】
画用紙などが収納できる大きさの矩形透明の袋状体であって、これを複数個上下方向に掲示などの便宜に資する態様で連結できるようにしてなるホルダーがある。（特許文献１参照）
【０００３】
かかるホルダーは、その上部の左右隅部にフック状部を備えており、また、その下部の左右隅部にこのフック状部が差し込み引っかけられるスリットを備えている。そして、上側に配されるホルダーのスリットに下側に配されるホルダーのフック状部を差し込み引っかけることで複数のホルダーを上下に連結できるようになっている。
【先行技術文献】
【特許文献】
【０００４】
【特許文献１】実用新案登録第３０９４４５９号公報
【発明の概要】
【発明が解決しようとする課題】
【０００５】
この発明が解決しようとする主たる問題点は、この種のファイル具（ホルダー）において、同一構成の他のファイル具と連結するための構造を、より適切かつ合理的に備えさせるようにする点にある。
【課題を解決するための手段】
【０００６】
前記課題を達成するために、この発明にあっては、ファイル具を、間にシート状の対象物を挟み込み可能な表裏のシート体よりなる四角形の外郭形状を持ったファイル具であって、
挟み込んだ前記対象物を少なくとも表側から視認可能に構成されていると共に、
下辺を除く三辺のうちのいずれか一辺を開放辺とし、その余の辺を非開放辺としており、
雄状連結部とこれに対する雌状連結部のいずれか一方を、上辺側に左右に間隔を開けて備えてなると共に、
これらの他方を前記下辺側に左右に間隔を開けて備えており、
前記雄状連結部を、前記シート体に施された切れ目によってこのシート体のその余の部分から区分されると共に、この雄状連結部の近傍に位置される辺側を指向した三角形状の頭部とこれに続く首部とを持った矢印状片とし、
前記雌状連結部を、前記矢印状片の頭部の差し込みをシート体の弾性変形により許容するスリットとしたものとした。
【０００７】
かかる構成によれば、例えば、一つのファイル具の下辺の左側に備えられる雌状連結部となるスリットに対し、他の一つのファイル具の上辺の左側に備えられる雄状連結部を構成する矢印状片をその頭部側から差し込むことができると共に、一つのファイル具の下辺の右側に備えられる雌状連結部となるスリットに対し、他の一つのファイル具の上辺の右側に備えられる雄状連結部を構成する矢印状片をその頭部側から差し込むことができる。そして、かかる頭部がスリットを通過した位置でのシート体の弾性復帰によって左右においてそれぞれ雌状連結部に雄状連結部を係合させてかかる一つのファイル具と他の一つのファイル具を上下に連結することができる。これによって、複数のファイル具を、上下に隣接配置が予定されるファイル具を同様に連結させてゆくことで、全体として帯状をなすようにつなぎ合わせることが可能とされる。このように連結されたファイル具は、前記雌状連結部から前記シート体の弾性変形を再び生じさせながら雄状連結部を抜き出す操作をすることでその分離も容易である。
【０００８】
前記ファイル具においてさらに、前記雄状連結部とこれに対する雌状連結部のいずれか一方を、左辺側及び右辺側のいずれか一方において上下に間隔を開けて備えさせると共に、雄状連結部とこれに対する雌状連結部の他方を、前記左辺側及び右辺側の他方において上下に間隔を開けて備えさせるようにしておくこともある。
【０００９】
このようにした場合、例えば、一つのファイル具の左辺の上側に備えられる雌状連結部となるスリットに対し、他の一つのファイル具の右辺の上側に備えられる雄状連結具を構成する矢印状片をその頭部側から差し込むことができると共に、一つのファイル具の左辺の下側に備えられる雌状連結部となるスリットに対し、他の一つのファイル具の右辺の下側に備えられる雄状連結具を構成する矢印状片をその頭部側から差し込むことができる。そして、かかる頭部がスリットを通過した位置でのシート体の弾性復帰によって上下においてそれぞれ雌状連結部に雄状連結部を係合させてかかる一つのファイル具と他の一つのファイル具を左右に連結することもできる。
【００１０】
この場合さらに、前記上辺側及び下辺側に備えられた左右の雄状連結部及び左右の雌状連結部間の距離と、前記左辺側及び右辺側に備えられた上下の雄状連結部及び上下の雌状連結部間の距離とを等しくさせておけば、例えば、一つのファイル具の下辺に備えられた雌状連結部に他の一つのファイル具の右辺に備えられた雄状連結部を前記のように連結させることで、この一つのファイル具の下に右辺を上に向けた態様で他の一つのファイル具を連結することもできる。
【００１１】
前記下辺側に、表裏のシート体を互いに固着させる固着部を左右にそれぞれ設けさせておくと共に、表側シート体における前記左右の固着部の間に位置される箇所に前記下辺との間に間隔を開けてスリットを設けさせておくこともある。このようにした場合、かかるスリットを利用して、前記対象物の下方において左右の固着部間にこの対象物と別のシート状の対象物を差し込むことができる。
【発明の効果】
【００１２】
この発明によれば、同一構成のファイル具同士は、矢印状片からなる雄状連結部をスリットからなる雌状連結部に差し込むことで連結できる。雄状連結部はその形状によってこれを雌状連結部にどのように連結させるべきか、また、どの向きから差し込むべきかを利用者に容易に理解させるものであり、この発明はファイル具のユニバーサルデザインにも資する特長を有する。
【図面の簡単な説明】
【００１３】
【図１】図１はこの発明の一実施の形態にかかるファイル具となるプラスチックシートの平面図である。
【図２】図２は前記ファイル具の正面図である。
【図３】図３は三つのファイル具を上下に連結した状態を示した正面図である。
【図４】図４は三つのファイル具を左右に連結した状態を示した正面図である。
【図５】図５は一方のファイル具の雌状連結部に他方のファイルの雄状連結部を差し込む直前の状態を示した要部正面図（ａ図）および要部断面図（ｂ図）である。
【図６】図６は一方のファイル具の雌状連結部への他方のファイルの雄状連結部の差し込み終了状態を示した要部正面図（ａ図）および要部断面図（ｂ図）である。
【発明を実施するための形態】
【００１４】
以下、図１〜図６に基づいて、この発明の典型的な実施の形態について、説明する。この実施の形態にかかるファイル具Ｆは、内部にシート状の対象物Ｏを挟み込んだ状態で、同一構成のファイル具Ｆと上下に連結されて、連結されるファイル具Ｆを介して複数の対象物Ｏを典型的には壁面に展覧に都合の良いようにまとめるものである。
【００１５】
前記対象物Ｏとしては、典型的には、各種の学校において生徒や学生が作成した絵画、書などが予定され、この場合、前記のように連結されるファイル具Ｆを介して複数のこうした絵画などを学校の教室や廊下などの壁面に展覧することが可能とされる。
【００１６】
かかるファイル具Ｆは、間に前記対象物Ｏを挟み込み可能な表裏のシート体１、１よりなり、四角形の外郭形状を持ち、かかる対象物Ｏよりも面積を大きくしている。図示の例では、かかるファイル具Ｆは、左右に長い長方形の外郭形状を備えている。
【００１７】
また、かかるファイル具Ｆは、挟み込んだ前記対象物Ｏを少なくとも表側から視認可能に構成されている。
【００１８】
また、かかるファイル具Ｆは、下辺２を除く三辺のうちのいずれか一辺を開放辺とし、その余の辺を非開放辺としている。図示の例では、構成されるファイル具Ｆの上下寸法の二倍の上下寸法を備えた透明なプラスチックシートＳを、その上下方向略中程の位置で二つ折りすると共に、このように折られて表側に位置される表側シート体１ａの上辺と裏側に位置される裏側シート体１ｂの上辺、および、表側シート体１ａの左辺と裏側シート体１ｂの左辺とを溶着させることにより、三辺を封止して右辺を開放させたファイル具Ｆを構成させている。（図１／同図において溶着を施す箇所を二点鎖線で示す。）これにより、図示の例では、ファイル具Ｆの右辺５からその内部、つまり、前記表側シート体１ａと裏側シート体１ｂとの間に、前記対象物Ｏを差し込むことができるようになっている。
【００１９】
また、かかるファイル具Ｆは、雄状連結部６とこれに対する雌状連結部７のいずれか一方を、前記上辺３側に左右に間隔を開けて備えてなると共に、これらの他方を前記下辺２側に左右に間隔を開けて備えている。かかる雄状連結部６と雌状連結部７との間の距離は前記対象物Ｏの上下寸法と等しいか、これより大きくなるようにしておく。
【００２０】
かかる雄状連結部６は、前記シート体１に施された切れ目６０によってこのシート体１のその余の部分から区分されると共に、この雄状連結部６の近傍に位置される辺側を指向した三角形状の頭部６１ａとこれに続く首部６１ｃとを持った矢印状片６１となっている。図示の例では、前記表裏のシート体１、１の双方にかかる雄状連結部６を構成させる切れ目６０が形成されている。図示の例では、前記上辺３側に矢印状片６１が備えられており、したがって、かかる矢印状片６１は、その頭部６１ａの頭頂６１ｂを、上方に向けている。
【００２１】
矢印状片６１は、矢印状片６１の指向中心線ｚを挟んだ左右にそれぞれ形成された、この指向中心線ｚと平行に延びる平行切線６０ａ、この平行切線６０ａの一端に続いて前記指向中心線ｚから離れる向きに延びる直交切線６０ｂと、この直交切線６０ｂの外端に続いて指向中心線ｚに向けて斜めに延びてこの指向中心線ｚに至る傾斜切線６０ｃとから構成されている。（図５）このように形成される左右の傾斜切線６０ｃ、６０ｃによって指向中心線ｚ上に前記頭頂６１ｂを位置させる前記頭部６１ａが形成され、左右の平行切線６０ａ、６０ａ間に前記首部６１ｃが形成されるようになっている。図示の例では、平行切線６０ａの他端に丸孔６０ｄが形成されており、この他端への応力の集中によるシート体１の破断を防止するようになっている。
【００２２】
一方、前記雌状連結部７は、前記矢印状片６１の頭部６１ａの差し込みをシート体１の弾性変形により許容するスリット７ａとなっている。
【００２３】
図示の例では、前記表裏のシート体１、１の双方にかかる雌状連結部７を構成させるスリット７ａが形成されている。図示の例では、前記下辺２側にこの下辺２と平行をなすように前記スリット７ａが備えられている。図示の例では、かかるスリット７ａの両端に丸孔７ｂが形成されており、このスリット７ａの端への応力の集中によるシート体１の破断を防止するようになっている。
【００２４】
前記雄状連結部６を構成する矢印状片６１の頭部６１ａにおける左右寸法を最大とする箇所、すなわち、前記傾斜切線６０ｃと直交切線６０ｂとの連通箇所での、この頭部６１ａの左右寸法は、スリット７ａの長さ寸法よりもやや大きくなっている。
【００２５】
これにより、この実施の形態にあっては、一つのファイル具Ｆの下辺２の左側に備えられる雌状連結部７となるスリット７ａに対し、他の一つのファイル具Ｆの上辺３の左側に備えられる雄状連結部６を構成する矢印状片６１をその頭部６１ａ側から差し込むことができると共に、一つのファイル具Ｆの下辺２の右側に備えられる雌状連結部７となるスリット７ａに対し、他の一つのファイル具Ｆの上辺３の右側に備えられる雄状連結部６を構成する矢印状片６１をその頭部６１ａ側から差し込むことができる。そして、かかる頭部６１ａがスリット７ａを通過した位置でのシート体１の弾性復帰によって左右においてそれぞれ雌状連結部７に雄状連結部６を係合させてかかる一つのファイル具Ｆと他の一つのファイル具Ｆを上下に連結できるようになっている。（図３）これによって、複数のファイル具Ｆを、上下に隣接配置が予定されるファイル具Ｆを同様に連結させてゆくことで、全体として帯状をなすようにつなぎ合わせることが可能とされる。このように連結されたファイル具Ｆは、前記雌状連結部７から前記シート体１の弾性変形を再び生じさせながら雄状連結部６を抜き出す操作をすることでその分離も容易である。
【００２６】
また、この実施の形態にあっては、前記雄状連結部６とこれに対する雌状連結部７のいずれか一方を、左辺４側及び右辺５側のいずれか一方において上下に間隔を開けて備えると共に、雄状連結部６とこれに対する雌状連結部７の他方を、前記左辺４側及び右辺５側の他方において上下に間隔を開けて備えている。
【００２７】
図示の例では、前記右辺５側にさらに前記上辺３側に備えられる雄状連結部６と同一構成の矢印状片６１が備えられており、この矢印状片６１は、その頭部６１ａの頭頂６１ｂを、右側方に向けている。また、図示の例では、前記左辺４側にさらに前記下辺２側に備えられる雌状連結部７と同一構成のスリット７ａがこの左辺４と平行をなすように備えられている。
【００２８】
これにより、この実施の形態にあっては、一つのファイル具Ｆの左辺４の上側に備えられる雌状連結部７となるスリット７ａに対し、他の一つのファイル具Ｆの右辺５の上側に備えられる雄状連結部６を構成する矢印状片６１をその頭部６１ａ側から差し込むことができると共に、一つのファイル具Ｆの左辺４の下側に備えられる雌状連結部７となるスリット７ａに対し、他の一つのファイル具Ｆの右辺５の下側に備えられる雄状連結部６を構成する矢印状片６１をその頭部６１ａ側から差し込むことができる。そして、かかる頭部６１ａがスリット７ａを通過した位置でのシート体１の弾性復帰によって上下においてそれぞれ雌状連結部７に雄状連結部６を係合させてかかる一つのファイル具Ｆと他の一つのファイル具Ｆを左右に連結できるようになっている。（図４）これにより、この実施の形態にあっては、複数のファイル具Ｆを上下および左右に連結して全体として面状をなすようにつなぎ合わせることも可能となっている。
【００２９】
また、この実施の形態にあっては、前記上辺３側及び下辺２側に備えられた左右の雄状連結部６、６及び左右の雌状連結部７、７間の距離ｘと、前記左辺４側及び右辺５側に備えられた上下の雄状連結部６、６及び上下の雌状連結部７、７間の距離ｙとが等しくなっている。
【００３０】
これにより、この実施の形態にあっては、例えば、一つのファイル具Ｆの下辺２に備えられた雌状連結部７に他の一つのファイル具Ｆの右辺５に備えられた雄状連結部６を前記のように連結させることで、この一つのファイル具Ｆの下に右辺５を上に向けた態様で他の一つのファイル具Ｆを連結することもできるようになっている。
【００３１】
また、この実施の形態にあっては、前記下辺２側に、表裏のシート体１、１を互いに固着させる固着部８が左右にそれぞれ設けられていると共に、表側シート体１ａにおける前記左右の固着部８、８の間に位置される箇所に前記下辺２との間に間隔を開けてスリット９が設けられている。
【００３２】
図示の例では、前記固着部８は、前記下辺２側に備えられた左右の雌状連結部７、７の間に設けられている。左右の固着部８はそれぞれ、下端を前記二つ折りの折り目、つまり前記下辺２に位置させて上方に延びる線状をなしている。図示の例では、かかる固着部８は表裏のシート体１、１を溶着することにより形成されている。図示の例では、さらに、左右の固着部８、８の上端間には、水平方向に延びる線状溶着部１０が形成されている。前記右辺５から内部に差し込まれた対象物Ｏは、その下縁をこの線状溶着部１０に接しさせるようにしてファイル具Ｆ内に納められるようになっている。（図２）かかる線状溶着部１０と左右の固着部８、８と前記下辺２とに囲まれた箇所に前記スリット９が形成されている。かかるスリット９は線状溶着部１０に隣接して左右方向に延びており、また、その中央部においては下方を湾曲外側とするように弧状に湾曲されており、この中央部と線状溶着部１０との間に舌状つまみ部１１が形成されている。これにより、この実施の形態にあっては、かかるスリット９を利用して、前記対象物Ｏの下方において左右の固着部８、８間にこの対象物Ｏと別のシート状の対象物Ｏを差し込めるようになっている。典型的には、前記絵画などの作成者の氏名などを表面に記載した短冊状の対象物Ｏ’を前記下辺２側の中央に出し入れ可能に納め入れできるようになっている。
【００３３】
なお、この実施の形態にあっては、前記上辺３および右辺５に、前記のようにつなぎ合わされた複数のファイル具Ｆにおける最上段に位置されるファイル具Ｆを壁面につり下げるために利用される貫通孔１２が設けられている。また、図中符号１３で示すのは、前記右辺５を開きやすくするために表側シート体１ａに形成された切り欠き部である。
【符号の説明】
【００３４】
Ｏ  対象物
１  シート体
２  下辺
３  上辺
６  雄状連結部
６０  切れ目
６１  矢印状片
６１ａ  頭部
６１ｃ  首部
７  雌状連結部
７ａ  スリット
【図１】
2014108572.tif 000003
【図２】
2014108572.tif 000004
【図３】
2014108572.tif 000005
【図４】
2014108572.tif 000006
【図５】
2014108572.tif 000007
【図６】
2014108572.tif 000008